(57)【要約】【課題】  ユーザーの好みに応じた設定が可能であり、かつ、単色のキーバックライトよりも自由度を向上させた携帯電話機を提供する。【解決手段】キー操作部を有する携帯電話機であって、Ｒの点灯素子とＧの点灯素子とＢの点灯素子とによって構成され、前記キー操作部の近傍に設けられる光源と、前記光源のＲ，Ｇ，Ｂのそれぞれの点灯を制御する制御部と、を有することを特徴とする。【選択図】図１
2010028303.tif 000002
【特許請求の範囲】
【請求項１】
キー操作部を有する携帯電話機であって、
Ｒの点灯素子とＧの点灯素子とＢの点灯素子とによって構成され、前記キー操作部の近傍に設けられる光源と、
前記光源のＲ，Ｇ，Ｂのそれぞれの点灯を制御する制御部と、
を有することを特徴とする携帯電話機。
【請求項２】
前記携帯電話機は、折りたたみ式またはスライド式の携帯電話機であり、
前記携帯電話機は、
前記折りたたみ状態から開いたこと、または、携帯電話機をスライドさせて開いたことを検出する開閉検出部を有し、
前記制御部は、前記開閉検出器が前記携帯電話機が開いたことを検出した場合に、前記光源の点灯を制御する
ことを特徴とする請求項１記載の携帯電話機。
【請求項３】
ユーザーからの入力を受け付ける入力部と、
前記入力部が受け付けた入力に応じて、前記光源のＲ、Ｇ、Ｂの点灯素子を制御する点灯パターンデータを生成する点灯パターンデータ生成部と、を有し、
前記制御部は、前記点灯パターンデータ生成部によって生成された点灯パターンデータに基づいて、前記光源を点灯させる
ことを特徴とする請求項１または請求項２記載の携帯電話機。
【請求項４】
外部のサーバ装置に通信可能に接続する通信部と、
点灯パターンデータを記憶可能である記憶部と、
前記光源のＲ、Ｇ、Ｂの点灯素子の点灯を制御する点灯パターンデータを前記サーバ装置に通信部を介し、当該サーバ装置からダウンロードして前記記憶部に記憶するダウンロード部と、を有し、
前記制御部は、前記ダウンロード部によってダウンロードされて前記記憶部に記憶された点灯パターンデータに基づいて、前記光源を点灯させる
ことを特徴とする請求項１から請求項３のうちいずれかに記載の携帯電話機。
【請求項５】
前記光源は、複数設けられ、前記キー操作部のキーの配列に応じて、当該複数の光源が配置される
ことを特徴とする請求項１から請求項４のうちいずれかに記載の携帯電話機。
【請求項６】
キー操作部と、キーバックライトとを有する携帯電話機のキーバックライトを点灯する点灯制御方法であって、
前記キーバックライトが、Ｒの点灯素子とＧの点灯素子とＢの点灯素子とによって構成され、前記キー操作部の近傍に設けられており、
携帯電話機の制御部が、前記光源のＲ，Ｇ，Ｂのそれぞれの点灯素子の点灯を制御することを特徴とする点灯制御方法。
【発明の詳細な説明】
【技術分野】
【０００１】
本発明は、携帯電話機に設けられるキーバックライトの点灯を制御する携帯電話機、点灯制御方法に関する。
【背景技術】
【０００２】
現在の携帯電話機は、多種多様なユーザーの好みに応じたデザインが求められている。そのデザインとして、例えば、携帯電話機の外観の形状や色等について種々のデザインのものがある。また、ストレート式や折りたたみ式、スライド式などのデザインもある。このようなデザイン以外に、ユーザーの好みに応じるべく、例えば、キー操作部に設けられたキーバックライトを利用して点灯させるものもある（例えば、特許文献１参照）。
【特許文献１】特開２００２−１０１１９５号公報
【発明の開示】
【発明が解決しようとする課題】
【０００３】
しかしながら、上述した特許文献１における携帯電話機のキーバックライトは、単色のライトで構成されており、自由度が少ない。すなわち、携帯電話機のキーバックライトの色や点灯方法においても、ユーザーの好みに応じた設定ができることが望ましい。
【０００４】
本発明は、このような事情に鑑みてなされたもので、その目的は、ユーザーの好みに応じた設定が可能であり、かつ、単色のキーバックライトよりも自由度を向上させた携帯電話機、点灯制御方法を提供することにある。
【課題を解決するための手段】
【０００５】
上述した課題を解決するために、本発明は、キー操作部を有する携帯電話機であって、Ｒの点灯素子とＧの点灯素子とＢの点灯素子とによって構成され、前記キー操作部の近傍に設けられる光源と、前記光源のＲ，Ｇ，Ｂのそれぞれの点灯を制御する制御部と、を有することを特徴とする。
【０００６】
また、本発明は、上述の携帯電話機において、前記携帯電話機は、折りたたみ式またはスライド式の携帯電話機であり、前記携帯電話機は、前記折りたたみ状態から開いたこと、または、携帯電話機をスライドさせて開いたことを検出する開閉検出部を有し、前記制御部は、前記開閉検出器が前記携帯電話機が開いたことを検出した場合に、前記光源の点灯を制御することを特徴とする。
【０００７】
また、本発明は、上述の携帯電話機において、ユーザーからの入力を受け付ける入力部と、前記入力部が受け付けた入力に応じて、前記光源のＲ、Ｇ、Ｂの点灯素子を制御する点灯パターンデータを生成する点灯パターンデータ生成部と、を有し、前記制御部は、前記点灯パターンデータ生成部によって生成された点灯パターンデータに基づいて、前記光源を点灯させることを特徴とする。
【０００８】
また、本発明は、上述の携帯電話機において、外部のサーバ装置に通信可能に接続する通信部と、点灯パターンデータを記憶可能である記憶部と、前記光源のＲ、Ｇ、Ｂの点灯素子の点灯を制御する点灯パターンデータを前記サーバ装置に通信部を介し、当該サーバ装置からダウンロードして前記記憶部に記憶するダウンロード部と、を有し、前記制御部は、前記ダウンロード部によってダウンロードされて前記記憶部に記憶された点灯パターンデータに基づいて、前記光源を点灯させることを特徴とする。
【０００９】
また、本発明は、上述の携帯電話機において、前記光源は、複数設けられ、前記キー操作部のキーの配列に応じて、当該複数の光源が配置されることを特徴とする。
【００１０】
また、本発明は、キー操作部と、キーバックライトとを有する携帯電話機のキーバックライトを点灯する点灯制御方法であって、前記キーバックライトが、Ｒの点灯素子とＧの点灯素子とＢの点灯素子とによって構成され、前記キー操作部の近傍に設けられており、携帯電話機の制御部が、前記光源のＲ，Ｇ，Ｂのそれぞれの点灯素子の点灯を制御することを特徴とする。
【００１１】
上述したように、本発明は、キーバックライトを構成する複数のＲＧＢライトをそれぞれ独立して制御することにより、色、輝度、点灯時間について、各ライトを個別に任意に設定することができ、イルミネーションとしての機能を実現し、改善を図ることができるものである。
【００１２】
また、本発明は、携帯電話のキー操作部を照らすキーバックライトについて、バックライトを構成するライト（例えば、Ｒ、Ｇ、ＢのＬＥＤ）を複数有し、各ライトは、独立制御可能であることを特徴とする。また、構成するライトは各々ＲＧＢの色素子を持ち、ＲＧＢ各輝度の設定で任意の色と輝度で点灯することを可能とする。このライトをキー操作部の裏側に配置することで、各ライトの色、輝度、点灯タイミングを独立制御し自由度の高いキーバックライト制御を実現する。特徴的な利用例としては、筐体を開いたとき、キーバックライトが鮮やかに点滅しキーイルミネーションとして利用することがあげられる。キーイルミネーションはユーザーの好みに応じて所定の条件下にて設定変更可能である。
このように、キーバックライトをＲＧＢ化し任意の色やタイミングで点灯可能な携帯電話機を提供することが可能となる。
【発明の効果】
【００１３】
以上説明したように、この発明によれば、Ｒの点灯素子とＧの点灯素子とＢの点灯素子とによって構成される光源を、キー操作部の近傍に設け、この光源のＲ、Ｇ、Ｂのそれぞれの点灯を制御部が制御するようにした。これにより、キーバックライトを任意の色で点灯させることが可能となり、単色のキーバックライトを点灯させる場合に比べて、種々のパターンで点灯させることが可能となる。また、光源がＲ、Ｇ、Ｂのそれぞれの色を発光することができるので、このＲ、Ｇ、Ｂのそれぞれの点灯状態の組み合わせに応じて、種々の色によって発光（照明）することができる。
【００１４】
また、この発明によれば、携帯電話機を開いた時に光るキーイルミネーション点灯を実現することが可能となる。
また、この発明によれば、ユーザーが自身の好みに応じて、オリジナルのキーイルミネーションのパターンを作成して点灯させることができる。
また、この発明によれば、第三者が作成したキーイルミネーションを携帯電話機にダウンロードすることができる。
【発明を実施するための最良の形態】
【００１５】
以下、本発明の一実施形態による携帯電話機について図面を参照して説明する。
図１は、この発明の一実施形態によるキーバックライトを有する携帯電話機１の構成を示す概略ブロック図である。
携帯電話機１は、ユーザーインターフェイスとして、メインディスプレイ１０１と、キー操作部１０２と、開閉検出装置１０３とを有する。開閉検出装置１０３は、例えば、ホールＩＣが用いられる。このホールＩＣは、携帯電話機１が閉じた状態になったとき、対向する位置に、磁石が設けられており、この磁石が所定の距離内に接近したか否かに基づいて、携帯電話機１が閉状態から開状態に状態変化したことを検出する。この検出結果は、開閉検出装置１０３から制御部１０５に開状態に移行したことを示す信号として出力される。この開閉検出装置１０３は、携帯電話機１が折りたたみ式である場合には、折りたたみ状態から開いたことを検出し、携帯電話機１がスライド式である場合には、スライドさせて開いたことを検出する。
【００１６】
キーバックライト１０４は、キー操作部１０２の下面（本体の内部側）に複数の光源が配置され、キー操作部１０４を背面側から照明する。
制御部１０５は、キーバックライト１０４を点灯させる制御と、メインディスプレイ１０１の表示制御を行う。制御部１０５は、記憶部１０９に記憶された点灯パターンデータに従い、キーバックライト１０４の個々の光源（Ｒ、Ｇ、Ｂ）の点灯等の制御を行う。
また、携帯電話機１には、携帯電話機１とネットワークサーバ間のデータ通信を行う無線通信部１０７、携帯電話機間やその他送受信端末と赤外線によってデータ通信を行う赤外線通信部１０６、ＩＣチップと通信を行うＩＣ通信部１０８が備えられる。
記憶部１０９は、点灯パターンデータを記憶する。この点灯パターンデータとは、キーバックライトの点灯パターンを制御するデータである。点灯パターンとは、点灯させるか否か、点灯した際の輝度、点灯時間について、光源のＲ、Ｇ、Ｂの点灯素子のそれぞれを制御するデータである。この点灯パターンデータは、制御部１０５によって読み出される。
【００１７】
図２は、キーバックライト１０４を構成するライト２０２の配置を示す図である。キーバックライト１０４は、複数のライト２０２によって構成されている。ライト２０２は、３つの点灯素子（Ｒ（Ｒｅｄ），Ｇ（Ｇｒｅｅｎ），Ｂ（Ｂｌｕｅ））から構成される光源であり、制御部１０５の各端子に対応するライト２０２の各端子（Ｒ、Ｇ、Ｂ）が接続される。また、ライト２０２には、電源供給端子が設けられており、制御部１０５または、携帯電話機１内の電池からの電源の供給を受け、各点灯素子に供給する。
点灯素子（Ｒ、Ｇ、Ｂ）の輝度、点灯時間は、制御部１０５によりユーザーが所定のパターン内で任意に設定可能であり、この設定された内容に従い、制御部１０５によって輝度、点灯時間が制御される。この設定内容は、点灯パターンデータとして記憶部１０９に記憶されている。
ここで、キーバックライト１０４を構成するライト２０２の実装位置と個数は、面積などの実装条件内で任意に変更して配置することが可能である。この実施形態においては、横３個、縦７個であり、合計２１個のライト２０２が配置される場合を一例として説明する。
【００１８】
図３は、ユーザーが点灯パターンを独自で作成し、携帯電話機３０１にそのデータを移行する流れを説明する図である。ここでは、データベース３０２とＰＣ３０３とがインターネット等の通信回線を介して接続されている。また、ＰＣ３０３と携帯電話機１とが、通信回線を介して通信可能に接続される。また、携帯電話機１は、記録媒体３０４に記憶されたデータを読み出したり、データベース３０２からダウンロードしたりする機能を有する。
【００１９】
まず、ＰＣ３０３は、キーボード等の入力装置を介してユーザーから入力される指示に基づいて、ネットワーク上のデータベース３０２にアクセスし、通信回線を介してキーイルミネーション作成ツール３０５をダウンロードする（手順１）。
このキーイルミネーション作成ツール３０５（点灯パターンデータ生成部）は、ＰＣ３０３において実行されることにより、キーバックライトの点灯パターンをユーザーが決定できるツール（プログラム）である。ユーザーは、キーイルミネーション作成ツール３０５をダウンロードした後、ＰＣ３０３上で、キーイルミネーション作成ツール３０５を実行し、点灯パターンデータをキーイルミネーションコンテンツ３０６として作成する。
【００２０】
キーイルミネーション作成ツール３０５を使用してキーイルミネーションコンテンツ３０６が作成されると（手順２）、このキーイルミネーションコンテンツ３０６は、記録媒体３０４やネットワーク上のデータベース３０２を経由して（手順３）、携帯電話機１へダウンロードされる（手順４）。ここで、携帯電話機１は、無線通信部１０７によってデータベース３０２を有するサーバ装置にアクセスし、点灯パターンデータをダウンロードする。
【００２１】
次に、キーバックライトの点灯制御について説明する。
キーバックライト１０４を構成する各ライト２０２を独立制御する場合、制御部１０５の制御方法の一例として、ＰＷＭ（Pulse Width Modulation）制御があげられる。各ライト２０２は、Ｒ、Ｇ、Ｂの３つの点灯素子から構成されており、制御部１０５の各端子とライト２０２の各端子とが接続される。
点灯素子（Ｒ，Ｇ，Ｂ）は、輝度、点灯時間を制御部１０５により任意に設定可能とされ、この輝度、点灯時間に従って点灯するように制御される。各ライト２０２は、ライト２０２を構成する点灯素子（Ｒ，Ｇ，Ｂ）それぞれの輝度の割合に応じて、任意の色で点灯させることが可能である。つまり、１つのライト２０２で、ＲＧＢ混色からなる複数の色を表現することが可能となる。制御部１０５は、キーバックライトを構成するすべてのライト２０２を独立で制御する。これにより、自由度の高い点灯パターンを実現することが可能である。
【００２２】
図４は、キーバックライト１０４の点灯パターンの一例を表す図である。携帯電話１のキー操作部１０２を照らすキーバックライト１０４について構成するライト２０２（例えば、Ｒ、Ｇ、ＢのＬＥＤ）が複数配置され、各ライト２０２は、独立制御可能である。
ここでは、例えば、各ライトの色Ａ〜色Ｅは、ライト２０２のＲ、Ｇ、Ｂそれぞれの輝度の割合によって決定される。各ライト２０２は、独立制御されることにより、各ライトをそれぞれ異なる色（ここでは、色Ａ〜色Ｅ）や輝度や点灯タイミングになるように点灯される。これにより、自由度の高いキーバックライト制御を実現する。
【００２３】
次に、キーバックライト独立点灯（キーイルミネーション）を利用するシーンについて説明する。
（１）折りたたみ式携帯電話機の開閉に連動したキーイルミネーション
本実施形態においては、筐体を開いたときにキーバックライト１０４が多種多様な点灯パターンで光ることを特徴としており、キーバックライト１０４をイルミネーションとして使用することを特徴とする。
筐体を開いたときに点灯する点灯パターンは、ユーザーが任意に設定でき、ユーザーは筐体を開くたびに設定したイルミネーションを楽しむことが可能である。ユーザーは好みに合わせて点灯パターンを設定することもできる。この点灯パターンは、ランダムで設定することも可能であり、事前に用意した点灯パターンの中から、筐体を開く度にランダムに点灯パターンを選択し、選択された点灯パターンに従って、イルミネーション点灯する。イルミネーション点灯の終了後は、キー操作に備え、制御部１０５は、キー印字（ボタンの数字や記号）が見やすい点灯（例えば、各ライト２０２が統一された色で点灯）に切替える。
【００２４】
次に、キーイルミネーションの点灯パターン（キーバックライトの独立制御により実現可能な点灯パターン）を説明する。この点灯パターンには、例えば、以下に示す（１）〜（５）のパターンがある。
（１）動きのある点灯（１秒間に規定されたコマ数の設定変更を実施し、動きのある点灯パターンを実現する）
（２）全面統一色で点灯（Ｒ，Ｇ，Ｂそれぞれ輝度を設定できる為、色の調合により様々な色に設定可能）
（３）グラデーション（隣接するライトの色や輝度が滑らかに連続して変化してゆく設定）
（４）ランダム（各ライトの色、輝度がランダムで選択される）
（５）絵（アイコン）や数字、文字を表現（点灯箇所を選択して形を表現する）
【００２５】
上記（１）〜（５）の活用例として、（１）動きのあるグラデーション点灯の一例を説明する。
キー上部分（操作キー近辺）から徐々に赤色でグラデーション点灯していき、キー下部分（数字０キー近辺）から徐々に青色でグラデーション点灯する。動きのある赤色と青色のグラデーションがキー中央部分（数字２キー近辺）で混色し、むらさき色（赤と青とが点灯）に徐々に変化する。これにより、動きのあるグラデーションを表現する。
【００２６】
点灯パターンについては多種多様な点灯が独立制御により可能となるわけであるが、点灯パターンは、携帯電話のデザインと同様に個人によって好みが分かれるものである。ここでは、ユーザーの様々な好みに対応する為、以下の（１）〜（２）の設定方法がある。
（１）メーカーの設計者がプリインストールとして移動機に最適と判断した数種類の点灯パターンを用意し、ユーザーが選択して設定する。
（２）ユーザーが点灯パターンを作成できる環境を用意（例えば、キーイルミネーション作成ツールをＰＣにダウンロード）し、ユーザーの独自性のある点灯パターンを設定可能とする。
点灯パターンを作成する環境としては、携帯電話のアプリ層に用意する場合とＰＣ上のキーイルミネーション作成ツールソフトを使用して作成する環境を用意する。図３において説明したように、ＰＣ３０３上でキーイルミネーションコンテンツ３０６を作成し、通信回線を経由し携帯電話機１へ、キーイルミネーションコンテンツ３０６をダウンロードする。また別の例として、記録媒体３０６を利用してキーイルミコンテンツ３０６を携帯電話機１へ記憶させることも可能である。
【００２７】
（３）作成した点灯パターンのデータをインターネット上に公開し、作成者以外もダウンロードし利用できる環境を提供する。
追加機能として以下を特徴とする。キーバックライトとしての機能を確保するため、イルミネーション点灯中にキー押下された場合はイルミネーションを中止し、キー印字（ボタンの数字や記号）が見やすい点灯に切替える。例としては、ライト２０２の輝度は微灯、各ライト２０２の色は、全面統一色にする等があげられる。全面統一色での点灯時の色についてはＲ，Ｇ，Ｂ色の調合（混色）により様々な色によって点灯可能であるように、その点灯パターンが設定可能である。キーイルミネーションにてキー部分が激しく明滅しキー印字が見づらくなることを考慮した対策となる。ユーザーがキー押下し、キー操作を行う動作と判断される場合は、イルミネーション点灯中であっても、イルミネーション点灯を停止する。
このように、上述した実施形態においては、キーバックライト１０４をキーイルミネーションとしてユーザーを楽しませることができるとともに、キー印字を暗所で照らすバックライト機能を有するものである。
【００２８】
次に、キーイルミネーション点灯を行う場面の一例について説明する。
携帯電話機１の開閉に連動したキーイルミネーション点灯は、スライド式の携帯電話機の場合、キー部分が現れる状態（開状態）になるときに、連動して点灯が行われる。その他、特殊な形状をした携帯電話機であっても、キー部分が外部に現れる状態に展開する際に、連動してキーイルミネーション点灯が行われる。
ＲＧＢライト以外の実現方法として、単色のライトを独立制御し、イルミネーションを実現する方法も併せて実行するようにしてもよい。この場合、ＲＧＢライトを独立制御した場合ほどの発色効果はないが、ライトの数を増やすことができることから、表現力豊かなイルミネーションを実現することが可能となる。また、単色ライトは、ＲＧＢライトより安価であるため、キーバックライトに採用するライトの数を多用することが可能である。この場合、これらのライトの点灯と消灯とを組み合わせることにより、絵（アイコン）や数字、文字を精細に表現するようにすることもできる。
【００２９】
携帯電話機１の各種通信中にキーイルミネーションを点灯させることも可能である。この実施形態においては、赤外線データの送受信中、メールの送受信中、音声通話の発信着信中、ネットワークからデータをダウンロード中、ＩＣチップとの通信中に、キーイルミネーションを点灯させ、各通信が完了した時点で通信完了を知らせるイルミネーション点灯を行うようにすることも可能である。以下にその一例を説明する。
（１）メール送信中のキーイルミネーション
ユーザーがメールを作成した後、送信ボタンを押下したタイミングで、キーイルミネーションが点灯する。メールの送信が完了したら、鮮やかにイルミネーション点灯し、送信が完了したことを伝える。ここで、メール送信時はキー部分が現れている状態（開状態）である為、キーイルミネーション点灯がユーザーの目に留まるため有効である。
（２）赤外線通信中のキーイルミネーション
２台の携帯電話機間で電話帳データの交換や、各コンテンツ（静止画、動画、メロディ等）の送受信中にキーイルミネーションを点灯させる。送信側のキーイルミネーションは、送信している状態を表す点灯パターンとする。この点灯例を図５に示す。キー下部分（数字０キー近辺）からキー上部分に向い矢印４０１を表現するライトが点灯する。すなわち、矢印の形状を表すように、キーイルミネーションのいずれかを点灯させ、一定時間が経過する毎に、この矢印が、受信側の携帯電話機側に向かって動く（移動する）ように点灯表示する。
その他、グラデーション表現によって、複数の矢印を点灯させるパターンがある。矢印の点灯は、配置されたライトの中から点灯させるライトを選択し形を表現する。１秒間に数フレーム点滅するため、点灯させる位置を変更することも可能である。
送信が完了したら、鮮やかにイルミネーション点灯し、通信が完了したことを伝える。受信側の携帯電話機についても同様に、受信している状態を表す点灯パターンとする。ユーザー間でデータ交換しているときに通信相手に自分のキーイルミネーションをアピールすることを目的とし、ユーザーが自分らしさを表現する方法としてキーイルミネーションを活用する。
【００３０】
（３）携帯電話機の電源ＯＮ時にキーイルミネーション点灯
携帯電話機１の電源がＯＮにされた時、これに連動させてキーイルミネーション点灯を行う。携帯電話１の電源が入れられると、メインディスプレイにウェイクアップメッセージ表示され電源が入ったことを表示する。ここで、メインディスプレイのメッセージ表示に連動してキーイルミネーション点灯する。キーイルミネーションは、動きのある点灯パターンで光り、電源ＯＮ時の演出効果として使用する。また、電源ＯＦＦ時も同様にキーイルミネーション点灯が行われる。
【００３１】
また、図１における携帯電話機１の機能を実現するためのプログラムをコンピュータ読み取り可能な記録媒体に記録して、この記録媒体に記録されたプログラムをコンピュータシステムに読み込ませ、実行することによりイルミネーション点灯の制御を行ってもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００３３】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３４】
【図１】この発明の一実施形態によるキーバックライトを有する携帯電話機１の構成を示す概略ブロック図である。
【図２】キーバックライト１０４を構成するライト２０２の配置を示す図である。
【図３】ユーザーが点灯パターンを独自で作成し、携帯電話機３０１にそのデータを移行する流れを説明する図である。
【図４】キーバックライト１０４の点灯パターンの一例を表す図である。
【図５】赤外線通信中のキーイルミネーションを説明する図である。
【符号の説明】
【００３５】
１  携帯電話機
１０１  メインディスプレイ
１０２  キー操作部
１０３  開閉検出装置
１０４  キーバックライト
１０５  制御部
１０６  赤外線通信部
１０７  無線通信部
１０８  ＩＣ通信部
１０９  記憶部
【図１】
2010028303.tif 000003
【図２】
2010028303.tif 000004
【図３】
2010028303.tif 000005
【図４】
2010028303.tif 000006
【図５】
2010028303.tif 000007